(57)【要約】  脊椎ロッド縮退装置、システム、及び方法を提供する。様々な実施例において、ロッド縮退装置は、第１のネジ付き部材を埋め込み可能スクリューアセンブリに選択的に係止するように構成された係合特徴部（１３８Ａ、１３８Ｂ、２２０、３３２、３３４）を有する第１のネジ付き部材（１３０、２１０、３３０）を有する。第２のネジ付き部材（１１０、２３０、３１０）は、第１のネジ付き部材と螺合可能に係合するように構成される。第２のネジ付き部材は、第２のネジ付き部材の回転によって第１のネジ付き部材に対して軸方向に移動可能である。脊椎ロッド押し付け部材（１２０、２４０、３２０）は、第２のネジ付き部材と共に軸方向に移動可能である。押し付け部材は、第１の回転方向に第２のネジ付き部材の回転によって脊椎ロッドと選択的に当接し、かつ埋め込み可能スクリューアセンブリの方向に脊椎ロッドを選択的に押し付けるように構成された軸受表面（１２６、２４２、３２０）を有する。【選択図】      図５Ａ
2012511997.tif 000002
【特許請求の範囲】
【請求項１】
脊椎ロッド及び埋め込み可能スクリューアセンブリと選択的に係合するように構成された装置であって、前記装置が、
ネジ付き部材の外面の少なくとも一部分の周囲に第１のネジ山を有する第１のネジ付き部材を備え、前記第１のネジ付き部材は、前記第１のネジ付き部材を前記埋め込み可能スクリューアセンブリに選択的に係止するように構成された係合特徴部を有し、前記装置が、
ネジ付き部材の内面の少なくとも一部分の周囲に第２のネジ山を有する第２のネジ付き部材を備え、前記第２のネジ付き部材は、前記第１のネジ付き部材と螺合可能に係合するように構成され、前記第２のネジ付き部材は、前記第２のネジ付き部材の回転によって前記第１のネジ付き部材に対して軸方向に移動可能であり、前記装置が、
前記第２のネジ付き部材と共に軸方向に移動可能な脊椎ロッド押し付け部材を備え、前記押し付け部材は、第１の回転方向の前記第２のネジ付き部材の回転によって前記脊椎ロッドと選択的に当接し、かつ前記埋め込み可能スクリューアセンブリの方向に前記脊椎ロッドを選択的に押し付けるように構成された軸受表面を有する、ことを特徴とする装置。
【請求項２】
前記係合特徴部は、前記埋め込み可能スクリューアセンブリの対応する数のレセプタクルと嵌合するように構成された少なくとも１つの突起を含むことを特徴とする請求項１に記載の装置。
【請求項３】
前記係合特徴部は、前記埋め込み可能スクリューアセンブリの近位端に選択的に連結するように構成された把持要素を含むことを特徴とする請求項１に記載の装置。
【請求項４】
前記係合特徴部は、前記第１のネジ付き部材の遠位端に配置されることを特徴とする請求項１に記載の装置。
【請求項５】
前記押し付け部材は、前記第２のネジ付き部材に連結されることを特徴とする請求項１に記載の装置。
【請求項６】
前記第１のネジ付き部材は、実質的にチューブ状であり、かつ第１の脚及び第２の脚を有し、前記第１及び第２の脚は、実質的に軸方向に延び、
前記第１及び第２の脚の遠位端が、選択的に半径方向に分離可能であるように構成される、
ことを特徴とする請求項１に記載の装置。
【請求項７】
前記第１及び第２の脚は、断面が実質的に半円形であることを特徴とする請求項６に記載の装置。
【請求項８】
前記第１のネジ付き部材の前記第１及び第２の脚は、前記第１のネジ付き部材の前記外面の周囲に螺合可能に係合した前記第２のネジ付き部材によって互いに保持されることを特徴とする請求項７に記載の装置。
【請求項９】
前記第１のネジ付き部材の前記外面は、前記第１及び第２の脚が、前記第２のネジ付き部材と螺合可能に係合した前記第１のネジ付き部材により選択的に半径方向に分離することを可能にするように構成された縮小した直径の部分を有することを特徴とする請求項８に記載の装置。
【請求項１０】
前記第１のネジ付き部材は、前記第１の脚と前記第２の脚の間に前記脊椎ロッドに適合するように構成された間隙を有することを特徴とする請求項６に記載の装置。
【請求項１１】
前記押し付け部材の前記軸受表面は、少なくとも部分的に前記第１の脚と前記第２の脚の間の前記間隙内に配置されることを特徴とする請求項１０に記載の装置。
【請求項１２】
前記第２のネジ付き部材は、前記第１のネジ付き部材に対して前記第２のネジ付き部材を回転させるように構成されたツールと係合するように構成されたツール係合部分を有することを特徴とする請求項１に記載の装置。
【請求項１３】
前記ツール係合部分は、前記ツールと嵌合するように構成された駆動面を有する凹部を含むことを特徴とする請求項１２に記載の装置。
【請求項１４】
前記ツール係合部分は、前記ツールと嵌合するように構成されたナットを含むことを特徴とする請求項１２に記載の装置。
【請求項１５】
前記ナットは、六角ナットを含むことを特徴とする請求項１４に記載の装置。
【請求項１６】
前記脊椎ロッド押し付け部材は、１つ又はそれよりも多くのアームを有する爪要素を含み、各アームは、前記脊椎ロッドと選択的に当接するように構成された前記軸受表面を有することを特徴とする請求項１に記載の装置。
【請求項１７】
各アームの前記軸受表面は、前記アームの端部に配置されることを特徴とする請求項１６に記載の装置。
【請求項１８】
前記軸受表面は、ロッド凹部を含むことを特徴とする請求項１６に記載の装置。
【請求項１９】
前記第１のネジ付き部材の前記係合特徴部は、前記埋め込み可能スクリューアセンブリのヘッドの下側に連結するように構成された把持要素を含むことを特徴とする請求項１に記載の装置。
【請求項２０】
前記第２のネジ付き部材は、前記第１のネジ付き部材に対する前記第２のネジ付き部材の手動回転中に把持するように構成された把持面を有することを特徴とする請求項１に記載の装置。
【請求項２１】
方法が、
少なくとも１つのロッドレジューサーを脊椎ロッドに沿ってかつ少なくとも１つの椎弓根スクリューと実質的に整列させて配置する段階を含み、前記脊椎ロッドに沿った前記ロッドレジューサーの配置が、前記ロッドレジューサーの脊椎ロッド押し付け部材の軸受表面を前記脊椎ロッドと実質的に整列させる段階を含み、
方法が、
前記ロッドレジューサーを前記椎弓根スクリューと係合させる段階と、
前記脊椎ロッドを徐々に縮退させて前記椎弓根スクリューと係合するように前記ロッドレジューサーを区分的に作動させる段階と、
を備え、前記ロッドレジューサーの作動が、前記椎弓根スクリューに向う前記軸受表面の移動を引き起こして前記脊椎ロッドを前記椎弓根スクリューの方向に押し付け、
方法が、
前記椎弓根スクリューを前記脊椎ロッドと係合させる段階、を備えることを特徴とする方法。
【請求項２２】
前記椎弓根スクリューを前記脊椎ロッドと係合させる段階は、前記脊椎ロッドを前記椎弓根スクリューと係合状態に保持するようにロッキングキャップを前記椎弓根スクリューに取り付ける段階を含むことを特徴とする請求項２１に記載の方法。
【請求項２３】
前記脊椎ロッドとの前記椎弓根スクリューの係合後に前記椎弓根スクリューから前記ロッドレジューサーを取り外す段階を含むことを特徴とする請求項２１に記載の方法。
【請求項２４】
前記椎弓根スクリューから前記ロッドレジューサーを取り外した後に再利用のために前記ロッドレジューサーを洗浄する段階を含むことを特徴とする請求項２３に記載の方法。
【請求項２５】
前記脊椎ロッドに沿って前記少なくとも１つのロッドレジューサーを配置する段階は、２つ又はそれよりも多くのロッドレジューサーを前記脊椎ロッドに沿ってかつ２つ又はそれよりも多くの椎弓根スクリューと実質的に整列させて配置する段階を含むことを特徴とする請求項２１に記載の方法。
【請求項２６】
複数の椎弓根スクリューに沿って前記脊椎ロッドを配置する段階と、
ロッドレジューサーを使用することなく、脊椎ロッド縮退を必要としない１つ又はそれよりも多くの椎弓根スクリューに前記脊椎ロッドを係合させる段階と、
１つ又はそれよりも多くのロッドレジューサーを使用して、脊椎ロッド縮退を必要とする１つ又はそれよりも多くの椎弓根スクリューに前記脊椎ロッドを係合させる段階と、
を含むことを特徴とする請求項２１に記載の方法。
【請求項２７】
前記ロッドレジューサーを前記椎弓根スクリューと係合させる段階は、前記ロッドレジューサーを前記椎弓根スクリューと手動で係合させる段階を含むことを特徴とする請求項２１に記載の方法。
【請求項２８】
前記ロッドレジューサーを前記椎弓根スクリューと係合させる段階は、前記ロッドレジューサーのツール係合部分と嵌合するように構成されたツールを使用して前記ロッドレジューサーを前記椎弓根スクリューと係合させる段階を含むことを特徴とする請求項２１に記載の方法。
【請求項２９】
脊椎ロッド縮退システムであって、
脊椎ロッドと、
前記脊椎ロッドと係合するように構成された複数の椎弓根スクリューと、
複数のロッドレジューサーと、
を備え、
各ロッドレジューサーが、
ネジ付き部材の外面の少なくとも一部分の周囲に第１のネジ山を有する第１のネジ付き部材を有し、前記第１のネジ付き部材は、前記第１のネジ付き部材を前記椎弓根スクリューに選択的に係止するように構成された係合特徴部を有し、
各ロッドレジューサーが、
ネジ付き部材の内面の少なくとも一部分の周囲に第２のネジ山を有する第２のネジ付き部材を有し、前記第２のネジ付き部材は、前記第１のネジ付き部材と螺合可能に係合するように構成され、前記第２のネジ付き部材は、前記第２のネジ付き部材の回転によって前記第１のネジ付き部材に対して軸方向に移動可能であり、
各ロッドレジューサーが、
前記第２のネジ付き部材と共に軸方向に移動可能な脊椎ロッド押し付け部材を有し、前記押し付け部材は、第１の回転方向の前記第２のネジ付き部材の回転によって前記脊椎ロッドと選択的に当接し、かつ前記椎弓根スクリューの方向に前記脊椎ロッドを選択的に押し付けるように構成された軸受表面を有する、
ことを特徴とする脊椎ロッド縮退システム。
【請求項３０】
前記ロッドレジューサーは、前記脊椎ロッドが前記椎弓根スクリューから離間した位置で前記椎弓根スクリュー及び前記脊椎ロッドと係合するように構成されることを特徴とする請求項２９に記載の脊椎ロッド縮退システム。
【請求項３１】
前記複数のロッドレジューサーは、前記脊椎ロッドを前記複数の椎弓根スクリューの方向に区分的に押し付けるように構成されることを特徴とする請求項２９に記載の脊椎ロッド縮退システム。
【請求項３２】
前記椎弓根スクリューと係合し、かつ前記椎弓根スクリューとの係合状態に前記脊椎ロッドを保持するように構成されたロッキングキャップを備えることを特徴とする請求項２９に記載の脊椎ロッド縮退システム。
【請求項３３】
前記ロッドレジューサーの各々のツール係合部分と嵌合するように構成され、前記第１のネジ付き部材に対して前記第２のネジ付き部材を回転させるように構成されたツールを備えることを特徴とする請求項２９に記載の脊椎ロッド縮退システム。
【請求項３４】
前記ツール係合部分は、前記ツールと嵌合するように構成された駆動面を有する凹部を含むことを特徴とする請求項３３に記載の脊椎ロッド縮退システム。
【請求項３５】
前記ツール係合部分は、前記ツールと嵌合するように構成されたナットを含むことを特徴とする請求項３３に記載の脊椎ロッド縮退システム。
【請求項３６】
脊椎ロッド縮退アセンブリであって、
１つ又はそれよりも多くの椎骨と係合した１つ又はそれよりも多くの椎弓根スクリューと、
前記１つ又はそれよりも多くの椎弓根スクリューと実質的に整列した脊椎ロッドと、
前記脊椎ロッドが前記椎弓根スクリューからある一定の距離だけ離間した位置で少なくとも１つの椎弓根スクリューと取外し可能に係合した少なくとも１つのロッドレジューサーと、
を備え、
前記ロッドレジューサーは、前記ロッドレジューサーに対して軸方向に移動可能な脊椎ロッド押し付け部材を有し、前記押し付け部材は、前記脊椎ロッドと選択的に当接し、かつ前記ロッドレジューサーの作動により、前記椎弓根スクリューの方向に前記脊椎ロッドを選択的に押し付けて前記脊椎ロッドと前記椎弓根スクリューの間の前記距離を縮小するように構成された軸受表面を有する、
ことを特徴とする脊椎ロッド縮退アセンブリ。
【発明の詳細な説明】
【技術分野】
【０００１】
本特許文献は、一般的には整形外科に関する。とりわけ、しかし限定的ではなく、本特許文献は、脊椎変形矯正のための装置及び方法に関する。
【背景技術】
【０００２】
脊椎ロッドを後椎弓根スクリューに縮退させるための脊椎手術の分野にいくつかの技術が存在する。主要な技術は、ロッドを一度に１レベル、すなわち、別々に各椎弓根スクリューまで縮退させるように設計されたロッカーフォーク又はラチェット様式器具のような、スクリューが挿入されてロッドが置かれた後にスクリューのヘッドに連結する個別のロッド縮退器具を利用する。そのようなセグメント式縮退技術は、椎弓根スクリューにかかる大きな軸荷重を生成する場合がある。
【０００３】
代替的に、ロッドは、特定の変形に適合させ、その後に埋め込まれた椎弓根スクリュー内に着座させることができる。着座した状態で、変形は、原位置でロッドを曲げることによって矯正することができる。この技術は、時間を消費する場合があり、埋め込み前にロッドに応力及び歪みを掛ける。
【０００４】
ある一定のロッド縮退技術は、変形の全長にわたって徐々にロッドを縮退させるのに使用することができる一体化された上方に延びるタブを含む特別縮退椎弓根スクリューを利用する。ロッド縮退が完了した状態で、伸張したタブは折り取られる。しかし、この技術は、典型的には縮退スクリューだけに限定され、インプラントを高価にする可能性がある。
【発明の概要】
【発明が解決しようとする課題】
【０００５】
本発明者は、とりわけ、椎弓根スクリュー及び／又は脊椎ロッドへの応力及び歪みが脊椎ロッド縮退処置中に問題を呈することを認識した。本発明者は、単軸、多軸、及び矢状スクリューを含むあらゆるフック又はスクリュータイプに使用することができ、かつ脊椎矯正処置の全過程中にいつでも必要に応じて再利用し、修正し、又は取り外すことができる合理的な外部装着式の小型縮退器具に対する必要性が満たされずに存在することを更に認識した。
【課題を解決するための手段】
【０００６】
本特許文献は、とりわけ、脊椎ロッド縮退のための装置、システム、及び方法を説明する。様々な実施例において、ロッド縮退装置は、第１のネジ付き部材を含み、これは、第１のネジ付き部材を埋め込み可能なスクリューアセンブリに選択的に係止するように構成された係合特徴部を有する。第２のネジ付き部材は、第１のネジ付き部材と螺合可能に係合するように構成される。第２のネジ付き部材は、第２のネジ付き部材の回転によって第１のネジ付き部材に対して軸方向に移動可能である。脊椎ロッド押し付け部材は、第２のネジ付き部材と共に軸方向に移動可能である。押し付け部材は、第１の回転方向の第２のネジ付き部材の回転によって脊椎ロッドと選択的に当接し、埋め込み可能スクリューアセンブリの方向に脊椎ロッドを選択的に押し付けるように構成された軸受表面を含む。
【０００７】
実施例１において、装置は、脊椎ロッド及び埋め込み可能スクリューアセンブリと選択的に係合するように構成される。装置は、第１のネジ付き部材の外面の少なくとも一部分の周囲に第１のネジ山を含む第１のネジ付き部材を含む。第１のネジ付き部材は、第１のネジ付き部材を埋め込み可能スクリューアセンブリに選択的に係止するように構成された係合特徴部を含む。第２のネジ付き部材は、第２のネジ付き部材の内面の少なくとも一部分の周囲に第２のネジ山を含む。第２のネジ付き部材は、第１のネジ付き部材と螺合可能に係合するように構成される。第２のネジ付き部材は、第２のネジ付き部材の回転によって第１のネジ付き部材に対して軸方向に移動可能である。脊椎ロッド押し付け部材は、第２のネジ付き部材と共に軸方向に移動可能である。押し付け部材は、第１の回転方向の第２のネジ付き部材の回転によって脊椎ロッドと選択的に当接し、埋め込み可能スクリューアセンブリの方向に脊椎ロッドを選択的に押し付けるように構成された軸受表面を含む。
【０００８】
実施例２において、実施例１の装置は、任意的に、係合特徴部が、埋め込み可能スクリューアセンブリの対応する数のレセプタクルと嵌合するように構成された少なくとも１つの突起を含むように構成される。
【０００９】
実施例３において、実施例１−２のうちの１つ又はそれよりも多くの装置は、任意的に、係合特徴部が、埋め込み可能スクリューアセンブリの近位端に選択的に連結するように構成された把持要素を含むように構成される。
【００１０】
実施例４において、実施例１−３のうちの１つ又はそれよりも多くの装置は、任意的に、係合特徴部が第１のネジ付き部材の遠位端に配置されるように構成される。
【００１１】
実施例５において、実施例１−４のうちの１つ又はそれよりも多くの装置は、任意的に、押し付け部材が第２のネジ付き部材に連結されるように構成される。
【００１２】
実施例６において、実施例１−５のうちの１つ又はそれよりも多くの装置は、任意的に、第１のネジ付き部材が、実質的にチューブ状であり、かつ第１の脚及び第２の脚を含むように構成され、第１及び第２の脚は、実質的に軸方向に延び、第１及び第２の脚の遠位端は、選択的に半径方向に分離可能であるように構成される。
【００１３】
実施例７において、実施例６の装置は、任意的に、第１及び第２の脚が、断面が実質的に半円形であるように構成される。
【００１４】
実施例８において、実施例７の装置は、任意的に、第１のネジ付き部材の第１及び第２の脚が、第１のネジ付き部材の外面の周囲に螺合可能に係合した第２のネジ付き部材によって互いに保持されるように構成される。
【００１５】
実施例９において、実施例８の装置は、任意的に、第１のネジ付き部材の外面が、第１のネジ付き部材が第２のネジ付き部材と螺合可能に係合した状態で第１及び第２の脚が選択的に半径方向に分離することを可能にするように構成された縮小した直径の部分を含むように構成される。
【００１６】
実施例１０において、実施例６−９のうちの１つ又はそれよりも多くの装置は、任意的に、第１のネジ付き部材が、第１の脚と第２の脚の間に脊椎ロッドに適合するように構成された間隙を含むように構成される。
【００１７】
実施例１１において、実施例１０の装置は、任意的に、押し付け部材の軸受表面が、第１の脚と第２の脚の間の間隙内に少なくとも部分的に配置されるように構成される。
【００１８】
実施例１２において、実施例１−１１のうちの１つ又はそれよりも多くの装置は、任意的に、第２のネジ付き部材が、第１のネジ付き部材に対して第２のネジ付き部材を回転させるように構成されたツールと係合するように構成されたツール係合部分を含むように構成される。
【００１９】
実施例１３において、実施例１２の装置は、任意的に、ツール係合部分が、ツールと嵌合するように構成された駆動面を含む凹部を含むように構成される。
【００２０】
実施例１４において、実施例１２−１３のうちの１つ又はそれよりも多くの装置は、任意的に、ツール係合部分が、ツールと嵌合するように構成されたナットを含むように構成される。
【００２１】
実施例１５において、実施例１４の装置は、任意的に、ナットが六角ナットを含むように構成される。
【００２２】
実施例１６において、実施例１−１５のうちの１つ又はそれよりも多くの装置は、任意的に、脊椎ロッド押し付け部材が、１つ又はそれよりも多くのアームを含む爪要素を含むように構成され、各アームは、脊椎ロッドと選択的に当接するように構成された軸受表面を含む。
【００２３】
実施例１７において、実施例１６の装置は、任意的に、各アームの軸受表面がアームの端部に配置されるように構成される。
【００２４】
実施例１８において、実施例１６−１７のうちの１つ又はそれよりも多くの装置は、任意的に、軸受表面がロッド凹部を含むように構成される。
【００２５】
実施例１９において、実施例１−１８のうちの１つ又はそれよりも多くの装置は、任意的に、第１のネジ付き部材の係合特徴部が、埋め込み可能スクリューアセンブリのヘッドの下側に連結するように構成された把持要素を含むように構成される。
【００２６】
実施例２０において、実施例１−１９のうちの１つ又はそれよりも多くの装置は、任意的に、第２のネジ付き部材が、第１のネジ付き部材に対する第２のネジ付き部材の手動回転中に把持するように構成された把持面を含むように構成される。
【００２７】
実施例２１において、方法は、脊椎ロッドに沿ってかつ少なくとも１つの椎弓根スクリューと実質的に整列して少なくとも１つのロッドレジューサーを配置する段階を含む。脊椎ロッドに沿ったロッドレジューサーの配置は、ロッドレジューサーの脊椎ロッド押し付け部材の軸受表面を脊椎ロッドと実質的に整列させる段階を含む。ロッドレジューサーは、椎弓根スクリューと係合する。ロッドレジューサーは、脊椎ロッドを徐々に縮退させて椎弓根スクリューと係合するように区分的に作動される。ロッドレジューサーの作動により、椎弓根スクリューに向う軸受表面の移動が、椎弓根スクリューの方向に脊椎ロッドを押し付ける。椎弓根スクリューは、脊椎ロッドと係合する。
【００２８】
実施例２２において、実施例２１の装置は、任意的に、椎弓根スクリューを脊椎ロッドと係合させる段階が、脊椎ロッドを椎弓根スクリューと係合状態に保持するようにロッキングキャップを椎弓根スクリューに取り付ける段階を含むように構成される。
【００２９】
実施例２３において、実施例２１−２２のうちの１つ又はそれよりも多くの装置は、任意的に、脊椎ロッドと椎弓根スクリューの係合後に椎弓根スクリューからロッドレジューサーを取り外す段階を含む。
【００３０】
実施例２４において、実施例２３の装置は、任意的に、椎弓根スクリューからロッドレジューサーを取り外した後に再利用するためにロッドレジューサーを洗浄する段階を含む。
【００３１】
実施例２５において、実施例２１−２４のうちの１つ又はそれよりも多くの装置は、任意的に、脊椎ロッドに沿って少なくとも１つのロッドレジューサーを配置する段階が、脊椎ロッドに沿ってかつ２つ又はそれよりも多くの椎弓根スクリューと実質的に整列して２つ又はそれよりも多くのロッドレジューサーを配置する段階を含むように構成される。
【００３２】
実施例２６において、実施例２１−２５のうちの１つ又はそれよりも多くの装置は、任意的に、複数の椎弓根スクリューに沿って脊椎ロッドを配置する段階を含む。ロッドレジューサーを使用することなく、脊椎ロッドは、脊椎ロッド縮退が必要ない１つ又はそれよりも多くの椎弓根スクリューに係合する。１つ又はそれよりも多くのロッドレジューサーを使用して、脊椎ロッドは、脊椎ロッド縮退が必要である１つ又はそれよりも多くの椎弓根スクリューに係合する。
【００３３】
実施例２７において、実施例２１−２６のうちの１つ又はそれよりも多くの装置は、任意的に、ロッドレジューサーを椎弓根スクリューと係合させる段階が、ロッドレジューサーを椎弓根スクリューと手動で係合させる段階を含むように構成される。
【００３４】
実施例２８において、実施例２１−２７のうちの１つ又はそれよりも多くの装置は、任意的に、ロッドレジューサーを椎弓根スクリューと係合させる段階が、ロッドレジューサーのツール係合部分と嵌合するように構成されたツールを使用してロッドレジューサーを椎弓根スクリューと係合させる段階を含むように構成される。
【００３５】
実施例２９において、脊椎ロッド縮退システムは、脊椎ロッドを含む。複数の椎弓根スクリューは、脊椎ロッドと係合するように構成される。複数のロッドレジューサーの各々は、第１のネジ付き部材の外面の少なくとも一部分の周囲に第１のネジ山を含む第１のネジ付き部材を含む。第１のネジ付き部材は、第１のネジ付き部材を椎弓根スクリューに選択的に係止するように構成された係合特徴部を含む。第２のネジ付き部材は、第２のネジ付き部材の内面の少なくとも一部分の周囲に第２のネジ山を含む。第２のネジ付き部材は、第１のネジ付き部材と螺合可能に係合するように構成される。第２のネジ付き部材は、第２のネジ付き部材の回転により第１のネジ付き部材に対して軸方向に移動可能である。脊椎ロッド押し付け部材は、第２のネジ付き部材と共に軸方向に移動可能である。押し付け部材は、第１の回転方向の第２のネジ付き部材の回転により脊椎ロッドと選択的に当接し、椎弓根スクリューの方向に脊椎ロッドを選択的に押し付けるように構成された軸受表面を含む。
【００３６】
実施例３０において、実施例２９のシステムは、任意的に、ロッドレジューサーが、脊椎ロッドが椎弓根スクリューから離間した位置で椎弓根スクリュー及び脊椎ロッドと係合するように構成されるように構成される。
【００３７】
実施例３１において、実施例２９−３０のうちの１つ又はそれよりも多くのシステムは、任意的に、複数のロッドレジューサーが、複数の椎弓根スクリューの方向に脊椎ロッドを区分的に押し付けるように構成されるように構成される。
【００３８】
実施例３２において、実施例２９−３１のうちの１つ又はそれよりも多くのシステムは、任意的に、椎弓根スクリューと係合し、かつ椎弓根スクリューとの係合状態に脊椎ロッドを保持するように構成されたロッキングキャップを含む。
【００３９】
実施例３３において、実施例２９−３２のうちの１つ又はそれよりも多くのシステムは、任意的に、ロッドレジューサーの各々のツール係合部分と嵌合するように構成され、かつ第１のネジ付き部材に対して第２のネジ付き部材を回転させるように構成されたツールを含む。
【００４０】
実施例３４において、実施例３３のシステムは、任意的に、ツール係合部分が、ツールと嵌合するように構成された駆動面を含む凹部を含むように構成される。
【００４１】
実施例３５において、実施例３３−３４のうちの１つ又はそれよりも多くのシステムは、任意的に、ツール係合部分が、ツールと嵌合するように構成されたナットを含むように構成される。
【００４２】
実施例３６において、脊椎ロッド縮退アセンブリは、１つ又はそれよりも多くの椎骨と係合した１つ又はそれよりも多くの椎弓根スクリューを含む。脊椎ロッドは、１つ又はそれよりも多くの椎弓根スクリューと実質的に整列する。少なくとも１つのロッドレジューサーは、脊椎ロッドが椎弓根スクリューからある一定の距離だけ離間した位置で少なくとも１つの椎弓根スクリューと取外し可能に係合する。ロッドレジューサーは、ロッドレジューサーに対して軸方向に移動可能な脊椎ロッド押し付け部材を含む。押し付け部材は、脊椎ロッドと選択的に当接し、かつロッドレジューサーの作動により、椎弓根スクリューの方向に脊椎ロッドを選択的に押し付けて脊椎ロッドと椎弓根スクリューの間の距離を縮小するように構成された軸受表面を含む。
【００４３】
本発明のロッド縮退装置及び方法のこれら及び他の実施例、利点、並びに特徴は、以下の「発明を実施するための形態」において一部示される。従って、この「発明の概要」は、本特許文献の主題の概要を提供することを意図している。本発明の排他的又は網羅的説明を提供するようには意図していない。「発明を実施するための形態」は、本特許文献に関する更なる情報を提供するために含めるものである。
【００４４】
図面において、同様の数字は、いくつかの図にわたって類似の構成要素を説明している。異なる文字接尾辞を有する同様の番号は、類似の構成要素の異なる事例を表している。図面は、限定的ではなく、一例として全体的に本文献で説明する様々な実施形態を示している。
【図面の簡単な説明】
【００４５】
【図１Ａ】本発明の実施形態による小型ロッドレジューサー器具の正面斜視図である。
【図１Ｂ】本発明の実施形態による小型ロッドレジューサー器具の正面図である。
【図２Ａ】図１の小型ロッドレジューサー器具の外側駆動スリーブ要素の側面図である。
【図２Ｂ】図１の小型ロッドレジューサー器具の外側駆動スリーブ要素の図２Ａの線２Ｂ−２Ｂに沿った断面図である。
【図２Ｃ】図１の小型ロッドレジューサー器具の外側駆動スリーブ要素の上面図である。
【図３Ａ】図１の小型ロッドレジューサー器具の保持案内リング要素の正面図である。
【図３Ｂ】図１の小型ロッドレジューサー器具の保持案内リング要素の左側面図である。
【図３Ｃ】図１の小型ロッドレジューサー器具の保持案内リング要素の上面図である。
【図４Ａ】図１の小型ロッドレジューサー器具のネジ式チューブ要素の正面図である。
【図４Ｂ】図１の小型ロッドレジューサー器具のネジ式チューブ要素の図４Ａのページ内へ直接取った断面図である。
【図４Ｃ】図１の小型ロッドレジューサー器具のネジ式チューブ要素の図４Ａの線４Ｃ−４Ｃに沿った断面図である。
【図５Ａ】非縮退構成で脊椎ロッド及び椎弓根スクリューアセンブリに連結された図１の小型ロッドレジューサー器具の正面斜視図である。
【図５Ｂ】縮退構成で脊椎ロッド及び椎弓根スクリューアセンブリに連結された図１の小型ロッドレジューサー器具の正面斜視図である。
【図６Ａ】図１のロッドレジューサー器具の図５Ｂの線６Ａ−６Ａに沿った斜視断面図である。
【図６Ｂ】図１のロッドレジューサー器具の図５Ｂの線６Ｂ−６Ｂに沿った斜視断面図である。
【図７】六角駆動カプラ、脊椎ロッド、及び椎弓根スクリューアセンブリを有するロッキングキャップラチェットＴハンドルドライバ器具に連結された図１のロッドレジューサー器具の正面斜視図である。
【図８Ａ】本発明の文献の実施形態による小型ロッドレジューサー器具の斜視図である。
【図８Ｂ】本発明の文献の実施形態による小型ロッドレジューサー器具の斜視図である。
【図８Ｃ】本発明の文献の実施形態による小型ロッドレジューサー器具の斜視図である。
【図８Ｄ】本発明の文献の実施形態による小型ロッドレジューサー器具の斜視図である。
【図９Ａ】本発明の文献の実施形態による小型ロッドレジューサー器具の斜視図である。
【図９Ｂ】本発明の文献の実施形態による小型ロッドレジューサー器具の斜視図である。
【図９Ｃ】本発明の文献の実施形態による小型ロッドレジューサー器具の斜視図である。
【図９Ｄ】本発明の文献の実施形態による小型ロッドレジューサー器具の斜視図である。
【図９Ｅ】本発明の文献の実施形態による小型ロッドレジューサー器具の斜視図である。
【図９Ｆ】本発明の文献の実施形態による小型ロッドレジューサー器具の斜視図である。
【発明を実施するための形態】
【００４６】
本発明者は、とりわけ、単軸、多軸、及び矢状スクリューを含むあらゆるフック又はスクリュータイプに使用することができ、かつ脊椎矯正処置の全過程中にいつでも必要に応じて再利用し、修正し、又は取り外すことができる合理的な外部装着式の小型縮退器具を構成することが望ましいことを認識した。
【００４７】
ある一定の専門用語は、便宜上以下の説明に使用されるに過ぎず、限定ではない。「右」、「左」、「下部」、及び「上部」という単語は、参照される図面の方向を示している。「内向きに」又は「遠位に」及び「外向きに」又は「近位に」という単語は、器具アセンブリ及びその関連部品の幾何学的中心又は向きにそれぞれ向う及びこれから離れる方向を意味する。「前方」、「後方」、「上方」、「下方」、「横方向」という単語及び関連単語及び／又は語句は、参照される人体の好ましい位置及び向きを示し、制限を意味するものではない。専門用語は、上に挙げた単語、それらの派生語、及び同様の趣旨の単語を含む。
【００４８】
図１−７を参照すると、本発明の実施形態による小型ロッドレジューサー器具１００は、外側駆動スリーブ１１０、保持案内リング１２０、及びネジ式チューブ１３０を含む。ロッドレジューサー１００は、脊椎ロッド１４０と、ネジ式チューブ１３０の遠位端と係合するように構成されたヘッド又はアンカーシートを含む単軸椎弓根スクリュー、矢状スクリュー、多軸椎弓根スクリュー、フック、又は殆どあらゆるタイプのスクリューの形態を取ることができる椎弓根スクリューアセンブリ１５０とに選択的に係合可能である。外側駆動スリーブ１１０は、実施例において、近位端、遠位端、近位端及び遠位端の間の縦軸、カニューレ内部、ギザギザのある又は他の摩擦把持面を含むことができる近位外面上に配置された把持面１１２、可視性及び重量減少を可能にする可視窓１１４、近位端の内部に配置された六角ドライブのような駆動面１１６、及び遠位端の内面上に配置された一連の雌ネジ１１８を含む。駆動面１１６は、実施例において、付加的な機械的回転力を外側駆動スリーブ１１０に与えてロッド縮退を補助するように、六角駆動カプラ１６０を有するラチェットＴハンドルドライバ器具（図７）と係合可能である。
【００４９】
実施例において、ネジ式チューブ１３０は、近位端、遠位端、近位端及び遠位端の間に延びる縦軸、カニューレ内部、第１の脚１３２、及び第２の脚１３４を含む。第１及び第２の脚１３２、１３４は、実施例において、外側駆動スリーブ１１０及び保持案内リング１２０の内部閉じ込めによって互いに保持される。一部の実施例において、第１の脚１３２は、雄ネジ１３６Ａを含み、第２の脚１３４は、雄ネジ１３６Ｂを含む。雄ネジ１３６Ａ、１３６Ｂは、より速い縮退速度を提供するように単一リード又は多重リードネジ山とすることができる。一部の実施例において、雄ネジ１３６Ａ、１３６Ｂは、３ｍｍの有効ピッチを有する２つの「ｓｔａｒｔ  Ｍ１８ｘ１．５」である。一部の実施例において、第１の脚１３２は、その遠位端に対して内部に係合特徴部１３８Ａを含み、第２の脚１３４は、その遠位端に対して内部に係合特徴部１３８Ｂを含む。係合特徴部１３８Ａ、１３８Ｂは、椎弓根スクリューアセンブリ１５０の外面と選択的に係合してこれに連結する。一部の実施例において、係合特徴部１３８Ａ、１３８Ｂは、椎弓根スクリューアセンブリ１５０の外面上に固有の雌型レセプタクルと嵌合する雄型突起から構成される。係合特徴部１３８Ａ、１３８Ｂ及びこれらの対応するレセプタクルは、実施例において、図６Ａに最も良く示すように、全て３つの軸において安定化をもたらす。一部の実施例において、第１の脚１３２は、近位端の近くに外部的に配置された特徴部１３９Ａを含み、第２の脚１３４は、近位端の近くに外部的に配置された特徴部１３９Ｂを含む。外部的に配置された特徴部１３９Ａ、１３９Ｂは、実施例において、第１及び第２のアーム１３２、１３４が遠位端において僅かに斜めに開くことを可能にし、椎弓根スクリューアセンブリ１５０にわたるロッドレジューサー１００の容易な導入と、椎弓根スクリューアセンブリ１５０のレセプタクルと係合特徴部１３８Ａ、１３８Ｂの対応する係合とを可能にするように、ネジ式チューブ１３０の外径及び雄ネジ１３６Ａ、１３６Ｂの有効径が減少する領域から構成される。第１及び第２のアーム１３２、１３４は、実施例において、約２．５度遠位端において斜めに開くように構成される。
【００５０】
実施例において、保持案内リング１２０は、外側駆動スリーブ１１０の遠位端においてネジ式チューブ１３０の周囲に配置され、かつ第１及び第２の上方に延びるアーム１２２Ａ、１２２Ｂと、上方に延びるアーム１２２Ａ、１２２Ｂの端部上にそれぞれ配置された第１及び第２の外向きに延びるタブ１２４Ａ、１２４Ｂと、脊椎ロッド１４０と選択的に接続する保持案内リング１２０の遠位端に配置されたロッド凹部１２６とを含む。
【００５１】
実施例において、外側駆動スリーブ１１０は、ステンレス鋼、チタン、又は他の生体適合性外科手術等級金属で構成され、一方、保持案内リング１２０及びネジ式チューブ１３０は、ポリエーテルエーテルケトン（ＰＥＥＫ）のような生体適合性ポリマー材料で構成される。しかし、駆動スリーブ１１０は、金属構成に限定されることなく、保持案内リング１２０及びネジ式チューブ１３０は、ポリマー構成に限定されることなく、かつ各々は、一般的形状を取って構成要素の通常の作動条件に耐えることができるあらゆる生体適合性材料で構成することができる。例えば、保持案内リング１２０及びネジ式チューブ１３０は、チタンで構成することができ、駆動スリーブ１１０は、ＰＥＥＫで構成することができる。
【００５２】
作動においてかつ引き続いて図１−７を参照すると、椎弓根スクリュー又はいくつかの椎弓根スクリューアセンブリ１５０は、患者の椎骨に埋め込まれ、ロッド１４０は、可能な変形矯正のために事前に曲げることができる。脊椎ロッド１４０は、椎弓根スクリュー１５０の構成体の上に緩く置かれ、縮退が必要ない椎弓根スクリュー１５０に取り付けられる。外側駆動スリーブ１１０の把持面１１２は、手動回転を使用してネジ式チューブ１３０に対して係合して回転し、及び／又は外側駆動スリーブ１１０は、駆動面１１６を通じて六角駆動カプラ１６０を有するラチェットＴハンドルドライバ器具を使用して回転することができる。保持案内リング１２０は、第１及び第２の脚１３２、１３４の遠位端が斜めに開くように特徴部１３９Ａ、１３９Ｂを取り囲む。ロッドレジューサー１００の遠位端は、第１及び第２の脚１３２、１２４が、ロッド１４０をまたぎ、係合特徴部１３８Ａ、１３８Ｂが、椎弓根スクリューアセンブリ１５０上の対応するレセプタクルを取り囲むように、脊椎ロッド１４０にわたって及び椎弓根スクリューアセンブリ１５０の上方に置かれる。外側駆動スリーブ１１０は、次に、保持案内リング１２０及び外側駆動スリーブ１１０が、雌ネジ１１８並びに第１及び第２の雄ネジ１３６Ａ、１３６Ｂを通じてネジ式チューブ１３０に対して遠位に移動するように、把持面１１２及び／又は六角駆動カプラ１６０を有するラチェットＴハンドルドライバ器具の回転を通じてネジ式チューブ１３０に対して手動で回転され、それによって第１及び第２のアーム１３２、１３４の遠位端の広がりをなくし、椎弓根スクリュー１５０上のレセプタクルと第１及び第２の係合特徴部１３８Ａ、１３８Ｂの係合、脊椎ロッド１４０へのロッド凹部１２６の係合、並びに第１及び第２の脚１３２、１３４に対する脊椎ロッド１４０の下方平行移動を引き起こす。複数のロッドレジューサー器具１００は、複数の脊椎レベルにわたって脊椎ロッド１４０を複数の椎弓根スクリューアセンブリ１５０内に徐々に縮退させる方式で利用することができる。ロッドレジューサー１００は、実施例において、ゆっくりかつ系統的に作動され、椎弓根スクリューアセンブリ１５０及びこれらの対応する椎体との接続の過大応力を回避し、これは、更に、患者の脊椎の軟組織の漸次的緊張及び延伸を可能にし、同時に潜在的に変形を矯正する。六角駆動カプラ１６０を有するラチェットＴハンドルドライバ器具は、次に、外側駆動スリーブ１１０から切り離され、ロッキングキャップ、すなわち、最終的に椎弓根スクリューアセンブリ１５０に対して脊椎ロッド１４０を固定する作用をする要素は、ネジ式チューブ１３０の内部幾何学形状によって設けられたロッキングキャップチャンネルを通じてロッドレジューサー１００を通して導入される。ロッキングキャップは、ロッドレジューサー１００を通して挿入することができるキャップドライバ器具（図示せず）を使用して椎弓根スクリューアセンブリ１５０に連結することができる。ロッキングキャップドライバ１６０は、ロッキングキャップに連結され、ネジ付き、星形駆動、又は六角駆動係合特徴部のような椎弓根スクリューアセンブリ１５０対してこれらのカプラを作動させるための係合特徴部を有する。ロッキングキャップドライバ１６０は、ラチェットドライバとすることができるが、それに限定されない。一部の実施例において、ロッキングキャップは、椎弓根スクリューアセンブリ１５０に連結され、ロッキングキャップドライバ１６０は、ロッドレジューサー１００から切り離される。ロッドレジューサー１００は、アーム１３２、１３４の遠位端が斜めに開き、係合特徴部１３８Ａ、１３８Ｂが椎弓根スクリューアセンブリ１５０上のこれらの対応するレセプタクルから外されるように、保持案内リング１２０を特徴部１３９Ａ、１３９Ｂの上に配置することによって椎弓根スクリューアセンブリ１５０から切り離される。ロッドレジューサー１００は、再利用するために洗浄して消毒することができる。
【００５３】
一部の実施例において、ロッドレジューサー１００は、その縮退中にノッチを導入せず、又は脊椎ロッド１４０の外部を損なわない。更に、一部の実施例のロッドレジューサー１００は、椎弓根スクリューアセンブリ１５０のロッド受け取りチャンネルを形成する上方に延びるアームの広がりを防止する。
【００５４】
ロッドレジューサー１００は、外科医の選択により椎弓根スクリュー１５０の埋め込み前又は後に椎弓根スクリューアセンブリ１５０に連結することができる。ロッドレジューサー１００は、手術中の脊椎の減捻操作を補助するように更に利用することができる。
【００５５】
実施例においてかつ図８Ａ−８Ｄを参照すると、特に単軸椎弓根スクリュー２５０に連結されて脊椎ロッド１４０をそこに縮退させるように構成されたロッドレジューサー２００が提供されている。一部の実施例において、ロッドレジューサー２００は、単軸椎弓根スクリューアセンブリ２５０の遠位端の下側に連結するために把持要素２２０において遠位に終端するネジ式シャフト２１０を含む。ロッドレジューサー２００は、シャフト２１０の雄ネジと接続し、それに対して螺合可能に平行移動するように構成されたナット２３０を更に含む。１つ又はそれよりも多くのアームを有する爪要素２４０は、実施例において、ナット２３０の下のシャフト２１０に連結され、１つ又はそれよりも多くのアームは、別の実施例において、脊椎ロッド１４０と係合するためのロッド凹部２４２を有する。
【００５６】
作動においてかつ引き続いて図８Ａ−８Ｄを参照すると、把持要素２２０は、単軸椎弓根スクリュー２５０の下に置かれる。爪要素２４０は、脊椎ロッドの近位側と係合し、ナット２３０は、強制的に爪要素２４０がロッド凹部２４２を通じてロッド１４０を単軸椎弓根スクリューアセンブリ２５０内に縮退させるように回転する。ロッキングキャップは、単軸椎弓根スクリューアセンブリ２５０に連結され、ロッドレジューサー２００は、ナット２３０を緩めて脊椎ロッド１４０から爪２４０を外すことにより、単軸椎弓根スクリューアセンブリ２５０から切り離される。
【００５７】
実施例においてかつ図９Ａ−９Ｆを参照すると、六角ナット３１０と、第１の脚３３２及び第２の脚３３４を有するネジ式チューブ３３０と、保持案内リング３２０とを含むロッドレジューサー３００が提供されている。一部の実施例において、ロッドレジューサー３００は、外側駆動スリーブ１１０の代わりに、六角ナット３１０が、ロッドレジューサー３００を作動させように六角ソケットタイプ器具（図示せず）と共に含まれて機能することを除いて、ロッドレジューサー１００と機能及び作動が類似している。ネジ式チューブ３３０は、ネジ式チューブ１３０と機能及び作動が類似しているが、第１及び第２の脚３３２、３３４の広がりを制御するために近位端でヒンジ設計を組み込んでいる。
【００５８】
本発明の広範な発明の概念から逸脱することなく上述の実施形態に対して変更を行うことができることは当業者によって認められるであろう。従って、本発明は、開示した特定的な実施形態に限定されず、本発明の説明によって定められる本発明の精神及び範囲内に修正を包含するように意図していることは理解される。
【００５９】
以上の「発明を実施するための形態」は、「発明を実施するための形態」の一部を形成する添付図面への参照を含む。図面は、一例として、本発明を実施することができる特定的な実施形態を示している。これらの実施形態は、本明細書では「実施例」とも呼ばれる。本発明文献において参照した全ての公報、特許、及び特許文献は、あたかも個々に引用によって組み込まれたかのように引用により本明細書にその全体が組み込まれている。本発明文献と引用によりそのように組み込まれたこれらの文献との間の矛盾する使用の場合には、組み込まれた参照文献における使用は、本発明文献のものに対して補足的と考えるべきであり、相容れない矛盾に対しては、本発明文献における使用が優先される。
【００６０】
本発明文献において、「ａ」又は「ａｎ」という用語は、特許文献に通例であるように、「少なくとも１つ」又は「１つ又はそれよりも多く」のあらゆる他の事例又は使用とは無関係に、１つ、又は１つ又はそれよりも多くを含むように使用される。本文献において、「又は」という用語は、別に定めない限り、「Ａ又はＢ」が「ＡであるがＢでない」、「ＢであるがＡでない」、及び「Ａ及びＢ」のように非排他的又はを意味するのに使用される。特許請求の範囲において、「ｉｎｃｌｕｄｉｎｇ」及び「ｉｎ  ｗｈｉｃｈ」は、それぞれ用語「ｃｏｍｐｒｉｓｉｎｇ」及び「ｗｈｅｒｅｉｎ」の平易な英語の均等物として使用される。同様に、特許請求の範囲において、「ｉｎｃｌｕｄｉｎｇ」及び「ｃｏｍｐｒｉｓｉｎｇ」という用語は、非制約的であり、すなわち、請求項においてこのような用語の後に挙げたものに追加された要素を含むシステム、デバイス、物品、又は工程は、依然としてその特許請求の範囲に入ると見なされる。更に、以下の特許請求の範囲において、「第１の」、「第２の」、及び「第３の」などの用語は、単にラベルとして使用され、かつこれらの対象物に多数の要件を課すように意図していない。
【００６１】
以上の説明は、例示的であることを意図して限定的ではない。例えば、上述の実施例（又はその１つ又はそれよりも多くの特徴）は、互いに組み合わせて使用することができる。他の実施形態は、以上の説明を精査して当業者によって使用することができる。同様に、以上の「発明を実施するための形態」における様々な特徴は、開示を簡素化するように互いにグループ分けすることができる。これは、特許請求しない開示する特徴がいずれかの請求項に対して必須であると意図しているように解釈すべきではない。そうではなく、本発明の主題は、特定の開示した実施形態の全ての特徴に満たない場合がある。従って、特許請求の範囲は、ここで「発明を実施するための形態」に組み込込まれ、各請求項は、個別の実施形態としてそれ自体自立している。本発明の範囲は、そのような請求項が権利を与えられた均等物の全範囲と共に、添付の特許請求の範囲に関連して判断すべきである。
【００６２】
「要約」は、読者が技術的開示の性質を直ちに確認することができるように提供されている。それは、特許請求の範囲又は意味を解釈又は制限するのに使用されないという理解の下に提出されている。
【符号の説明】
【００６３】
１１０  第２のネジ付き部材
１２０  脊椎ロッド押し付け部材
１３０  第１のネジ付き部材
【図１Ａ】
2012511997.tif 000003
【図１Ｂ】
2012511997.tif 000004
【図２Ａ】
2012511997.tif 000005
【図２Ｂ】
2012511997.tif 000006
【図２Ｃ】
2012511997.tif 000007
【図３Ａ】
2012511997.tif 000008
【図３Ｂ】
2012511997.tif 000009
【図３Ｃ】
2012511997.tif 000010
【図４Ａ】
2012511997.tif 000011
【図４Ｂ】
2012511997.tif 000012
【図４Ｃ】
2012511997.tif 000013
【図５Ａ】
2012511997.tif 000014
【図５Ｂ】
2012511997.tif 000015
【図６Ａ】
2012511997.tif 000016
【図６Ｂ】
2012511997.tif 000017
【図７】
2012511997.tif 000018
【図８Ａ】
2012511997.tif 000019
【図８Ｂ】
2012511997.tif 000020
【図８Ｃ】
2012511997.tif 000021
【図８Ｄ】
2012511997.tif 000022
【図９Ａ】
2012511997.tif 000023
【図９Ｂ】
2012511997.tif 000024
【図９Ｃ】
2012511997.tif 000025
【図９Ｄ】
2012511997.tif 000026
【図９Ｅ】
2012511997.tif 000027
【図９Ｆ】
2012511997.tif 000028
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
脊椎ロッド及び埋め込み可能スクリューアセンブリと選択的に係合するように構成された装置であって、前記装置が、
ネジ付き部材の外面の少なくとも一部分の周囲に第１のネジ山を有する第１のネジ付き部材であって、前記第１のネジ付き部材は、前記第１のネジ付き部材を前記埋め込み可能スクリューアセンブリに選択的に係止するように構成された係合特徴部を備え、前記第１のネジ付き部材は、ネジ付きの第１の脚及びネジ付きの第２の脚を備え、前記第１及び第２の脚の近位端が、互いに対して選択的に回転可能であり、前記第１及び第２の脚は、実質的に軸方向に延び、前記第１及び第２の脚の近位端は、前記第１及び第２の脚の遠位端が選択的に半径方向に分離可能であることを可能にするように、互いに対して選択的に回転可能である前記第１のネジ付部材と、
ネジ付き部材の内面の少なくとも一部分の周囲に第２のネジ山を有する第２のネジ付き部材であって、前記第２のネジ付き部材は、前記第１のネジ付き部材と螺合可能に係合するように構成され、前記第２のネジ付き部材は、前記第２のネジ付き部材の回転によって前記第１のネジ付き部材に対して軸方向に移動可能である前記第２のネジ付き部材と、
前記第２のネジ付き部材と共に軸方向に移動可能な脊椎ロッド押し付け部材であって、前記押し付け部材は、第１の回転方向の前記第２のネジ付き部材の回転によって前記脊椎ロッドと選択的に当接し且つ前記埋め込み可能スクリューアセンブリの方向に前記脊椎ロッドを選択的に押し付けるように構成された軸受表面を備える前記脊椎ロッド押し付け部材と、
を有することを特徴とする装置。
【請求項２】
前記係合特徴部は、前記埋め込み可能スクリューアセンブリの対応する数のレセプタクルと嵌合するように構成された少なくとも１つの突起を備えたことを特徴とする請求項１に記載の装置。
【請求項３】
前記係合特徴部は、前記埋め込み可能スクリューアセンブリの近位端に選択的に連結するように構成された把持要素を備えたことを特徴とする請求項１に記載の装置。
【請求項４】
前記係合特徴部は、前記第１のネジ付き部材の遠位端に配置されることを特徴とする請求項１に記載の装置。
【請求項５】
前記押し付け部材は、前記第２のネジ付き部材に連結されることを特徴とする請求項１に記載の装置。
【請求項６】
前記第１のネジ付き部材は、実質的にチューブ状であることを特徴とする請求項１に記載の装置。
【請求項７】
前記第１及び第２の脚は、断面が実質的に半円形であることを特徴とする請求項６に記載の装置。
【請求項８】
前記第１のネジ付き部材の前記第１及び第２の脚は、前記第１のネジ付き部材の前記外面の周囲に螺合可能に係合した前記第２のネジ付き部材によって互いに保持されることを特徴とする請求項７に記載の装置。
【請求項９】
前記第１のネジ付き部材の前記外面は、前記第１及び第２の脚が、前記第２のネジ付き部材と螺合可能に係合した前記第１のネジ付き部材により選択的に半径方向に分離することを可能にするように構成された縮小した直径の部分を有することを特徴とする請求項８に記載の装置。
【請求項１０】
前記第１のネジ付き部材は、前記第１の脚と前記第２の脚の間に前記脊椎ロッドに適合するように構成された間隙を有することを特徴とする請求項６に記載の装置。
【請求項１１】
前記押し付け部材の前記軸受表面は、少なくとも部分的に前記第１の脚と前記第２の脚の間の前記間隙内に配置されることを特徴とする請求項１０に記載の装置。
【請求項１２】
前記第２のネジ付き部材は、前記第１のネジ付き部材に対して前記第２のネジ付き部材を回転させるように構成されたツールと係合するように構成されたツール係合部分を有することを特徴とする請求項１に記載の装置。
【請求項１３】
前記ツール係合部分は、前記ツールと嵌合するように構成された駆動面を有する凹部を含むことを特徴とする請求項１２に記載の装置。
【請求項１４】
前記ツール係合部分は、前記ツールと嵌合するように構成されたナットを備えたことを特徴とする請求項１２に記載の装置。
【請求項１５】
前記ナットは、六角ナットを含むことを特徴とする請求項１４に記載の装置。
【請求項１６】
前記脊椎ロッド押し付け部材は、１つ又はそれよりも多くのアームを備えた爪要素を有し、各アームは、前記脊椎ロッドと選択的に当接するように構成された前記軸受表面を有することを特徴とする請求項１に記載の装置。
【請求項１７】
各アームの前記軸受表面は、前記アームの端部に配置されることを特徴とする請求項１６に記載の装置。
【請求項１８】
前記軸受表面は、ロッド凹部を備えたことを特徴とする請求項１６に記載の装置。
【請求項１９】
前記第１のネジ付き部材の前記係合特徴部は、前記埋め込み可能スクリューアセンブリのヘッドの下側に連結するように構成された把持要素を備えたことを特徴とする請求項１に記載の装置。
【請求項２０】
前記第２のネジ付き部材は、前記第１のネジ付き部材に対する前記第２のネジ付き部材の手動回転中に把持するように構成された把持面を有することを特徴とする請求項１に記載の装置。
【請求項２１】
少なくとも１つのロッドレジューサーを脊椎ロッドに沿ってかつ少なくとも１つの椎弓根スクリューと実質的に整列させて配置する段階であって、前記脊椎ロッドに沿った前記ロッドレジューサーの配置が、前記ロッドレジューサーの脊椎ロッド押し付け部材の軸受表面を前記脊椎ロッドと実質的に整列させる前記段階と、
前記ロッドレジューサーを前記椎弓根スクリューと係合させる段階と、
前記脊椎ロッドを徐々に縮退させて前記椎弓根スクリューと係合するように前記ロッドレジューサーを区分的に作動させる段階であって、前記ロッドレジューサーの作動が、前記椎弓根スクリューに向う前記軸受表面の移動を引き起こして前記脊椎ロッドを前記椎弓根スクリューの方向に押し付ける前記段階と、
前記椎弓根スクリューを前記脊椎ロッドと係合させる段階と、
を有することを特徴とする方法。
【請求項２２】
前記椎弓根スクリューを前記脊椎ロッドと係合させる段階は、前記脊椎ロッドを前記椎弓根スクリューと係合状態に保持するようにロッキングキャップを前記椎弓根スクリューに取り付ける段階を含むことを特徴とする請求項２１に記載の方法。
【請求項２３】
前記脊椎ロッドとの前記椎弓根スクリューの係合後に前記椎弓根スクリューから前記ロッドレジューサーを取り外す段階を含むことを特徴とする請求項２１に記載の方法。
【請求項２４】
前記椎弓根スクリューから前記ロッドレジューサーを取り外した後に再利用のために前記ロッドレジューサーを洗浄する段階を含むことを特徴とする請求項２３に記載の方法。
【請求項２５】
前記脊椎ロッドに沿って前記少なくとも１つのロッドレジューサーを配置する段階は、２つ又はそれよりも多くのロッドレジューサーを前記脊椎ロッドに沿ってかつ２つ又はそれよりも多くの椎弓根スクリューと実質的に整列させて配置する段階を含むことを特徴とする請求項２１に記載の方法。
【請求項２６】
複数の椎弓根スクリューに沿って前記脊椎ロッドを配置する段階と、
ロッドレジューサーを使用することなく、脊椎ロッド縮退を必要としない１つ又はそれよりも多くの椎弓根スクリューに前記脊椎ロッドを係合させる段階と、
１つ又はそれよりも多くのロッドレジューサーを使用して、脊椎ロッド縮退を必要とする１つ又はそれよりも多くの椎弓根スクリューに前記脊椎ロッドを係合させる段階と、
を有することを特徴とする請求項２１に記載の方法。
【請求項２７】
前記ロッドレジューサーを前記椎弓根スクリューと係合させる段階は、前記ロッドレジューサーを前記椎弓根スクリューと手動で係合させる段階を含むことを特徴とする請求項２１に記載の方法。
【請求項２８】
前記ロッドレジューサーを前記椎弓根スクリューと係合させる段階は、前記ロッドレジューサーのツール係合部分と嵌合するように構成されたツールを使用して前記ロッドレジューサーを前記椎弓根スクリューと係合させる段階を含むことを特徴とする請求項２１に記載の方法。
【請求項２９】
脊椎ロッド縮退システムであって、
脊椎ロッドと、
前記脊椎ロッドと係合するように構成された複数の椎弓根スクリューと、
複数のロッドレジューサーと、を有し、
各ロッドレジューサーが、
ネジ付き部材の外面の少なくとも一部分の周囲に第１のネジ山を有する第１のネジ付き部材であって、前記第１のネジ付き部材は、前記第１のネジ付き部材を前記椎弓根スクリューに選択的に係止するように構成された係合特徴部を有し、前記第１のネジ付き部材は、ネジ付きの第１の脚及びネジ付きの第２の脚を有し、前記第１及び第２の脚の近位端が、互いに対して選択的に回転可能であり、前記第１及び第２の脚は、実質的に軸方向に延び、前記第１及び第２の脚の近位端は、前記第１及び第２の脚の遠位端が選択的に半径方向に分離可能であることを可能にするように、互いに対して選択的に回転可能である前記第１のネジ付き部材と、
ネジ付き部材の内面の少なくとも一部分の周囲に第２のネジ山を有する第２のネジ付き部材であって、前記第２のネジ付き部材は、前記第１のネジ付き部材と螺合可能に係合するように構成され、前記第２のネジ付き部材は、前記第２のネジ付き部材の回転によって前記第１のネジ付き部材に対して軸方向に移動可能である前記第２のネジ付き部材と、
前記第２のネジ付き部材と共に軸方向に移動可能な脊椎ロッド押し付け部材であって、前記押し付け部材は、第１の回転方向の前記第２のネジ付き部材の回転によって前記脊椎ロッドと選択的に当接し、かつ前記椎弓根スクリューの方向に前記脊椎ロッドを選択的に押し付けるように構成された軸受表面を有する前記脊椎ロッド押し付け部材と、を有することを特徴とする脊椎ロッド縮退システム。
【請求項３０】
前記ロッドレジューサーは、前記脊椎ロッドが前記椎弓根スクリューから離間した位置で前記椎弓根スクリュー及び前記脊椎ロッドと係合するように構成されることを特徴とする請求項２９に記載の脊椎ロッド縮退システム。
【請求項３１】
前記複数のロッドレジューサーは、前記脊椎ロッドを前記複数の椎弓根スクリューの方向に区分的に押し付けるように構成されることを特徴とする請求項２９に記載の脊椎ロッド縮退システム。
【請求項３２】
前記椎弓根スクリューと係合し、かつ前記椎弓根スクリューとの係合状態に前記脊椎ロッドを保持するように構成されたロッキングキャップを備えることを特徴とする請求項２９に記載の脊椎ロッド縮退システム。
【請求項３３】
前記ロッドレジューサーの各々のツール係合部分と嵌合するように構成され、前記第１のネジ付き部材に対して前記第２のネジ付き部材を回転させるように構成されたツールを備えることを特徴とする請求項２９に記載の脊椎ロッド縮退システム。
【請求項３４】
前記ツール係合部分は、前記ツールと嵌合するように構成された駆動面を有する凹部を含むことを特徴とする請求項３３に記載の脊椎ロッド縮退システム。
【請求項３５】
前記ツール係合部分は、前記ツールと嵌合するように構成されたナットを含むことを特徴とする請求項３３に記載の脊椎ロッド縮退システム。
【請求項３６】
脊椎ロッド縮退アセンブリであって、
１つ又はそれ以上の椎骨と係合した１つ又はそれ以上の椎弓根スクリューと、
前記１つ又はそれ以上の椎弓根スクリューと実質的に整列した脊椎ロッドと、
前記脊椎ロッドが前記椎弓根スクリューからある一定の距離だけ離間した位置で少なくとも１つの椎弓根スクリューと取外し可能に係合した少なくとも１つのロッドレジューサーと、を有し、
前記ロッドレジューサーは、
ネジ付き部材の外面の少なくとも一部分の周囲に第１のネジ山を有する第１のネジ付き部材であって、前記第１のネジ付き部材は、前記第１のネジ付き部材を前記椎弓根スクリューに選択的に係止するように構成された係合特徴部を有し、前記第１のネジ付き部材は、ネジ付きの第１の脚及びネジ付きの第２の脚を有し、前記第１及び第２の脚の近位端が、互いに対して選択的に回転可能であり、前記第１及び第２の脚は、実質的に軸方向に延び、前記第１及び第２の脚の近位端は、前記第１及び第２の脚の遠位端が選択的に半径方向に分離可能であることを可能にするように、互いに対して選択的に回転可能である前記第１のネジ付き部材と、
ネジ付き部材の内面の少なくとも一部分の周囲に第２のネジ山を有する第２のネジ付き部材であって、前記第２のネジ付き部材は、前記第１のネジ付き部材と螺合可能に係合するように構成され、前記第２のネジ付き部材は、前記第２のネジ付き部材の回転によって前記第１のネジ付き部材に対して軸方向に移動可能である前記第２のネジ付き部材と、
前記ロッドレジューサーに対して軸方向に移動可能な脊椎ロッド押し付け部材であって、前記押し付け部材は、前記脊椎ロッドと選択的に当接し、かつ前記ロッドレジューサーの作動によって前記脊椎ロッドを前記椎弓根スクリューの方向に選択的に押し付けて前記脊椎ロッドと前記椎弓根スクリューの間の前記距離を縮小するように構成された軸受表面を備えた前記脊椎ロッド押し付け部材、を有することを特徴とする脊椎ロッド縮退アセンブリ。
【国際調査報告】
2012511997.tif 000029
2012511997.tif 000030
2012511997.tif 000031
2012511997.tif 000032